(57)【要約】      （修正有）【課題】魚にかじられても欠損せず、釣り針の脱落防止に使用する場合に魚の引きに耐えることができる釣り具用具を提供する。【解決手段】釣り仕掛けにおいて、釣り糸が挿通される挿通孔を頭部に有する釣り針又は中通し浮きが、釣り糸に付されたストッパーを越えて移動するのを防止するために、釣り針又は中通し浮きとストッパーとの間に位置するリング１であって、リングは、外径が４ｍｍ以下で内径は１．５ｍｍ以下であり、且つ金属製である。【選択図】図１
0003226060.tif 000002
【実用新案登録請求の範囲】
【請求項１】
釣り仕掛けにおいて、釣り糸が挿通される挿通孔を頭部に有する釣り針又は中通し浮きが、前記釣り糸に付されたストッパーを越えて移動するのを防止するために、前記釣り針又は前記中通し浮きと前記ストッパーとの間に位置するリングであって、前記リングは、外径が４ｍｍ以下で内径は１．５ｍｍ以下であり、且つ金属製であることを特徴とする釣り用具。
【考案の詳細な説明】
【技術分野】
【０００１】  本考案の釣り用具は、釣り仕掛けにおいて中通し浮きと共に釣り糸が挿通された状態で、釣り糸に付されたストッパーと協働して、釣り糸上を移動する中通し浮きを止める釣り用具に関するものである。
更には、釣り仕掛けにおいて挿通孔を有する釣り針と共に釣り糸が挿通された状態で、釣り糸に付されたストッパーと協働して、釣り針の釣り糸からの脱落を防止する釣り用具にも関するものである。（この釣り針は釣り糸を軸に回動自在に取り付けられている状態である）
【背景技術】
【０００２】  上述した釣り用具には、一般的に、図２に示すシモリ玉と呼ばれる釣り用具がある。
釣り仕掛けにおいてそのシモリ玉の釣り糸上の位置は、中通し浮きと釣り糸に付されたストッパーとの間に挟まれた位置である。
また、釣り糸が挿通された挿通孔を有する釣り針の釣り糸からの脱落防止に使用するならば、釣り針と釣り糸に付されたストッパーとの間にシモリ玉が位置する。
【先行技術文献】
【０００３】
【非特許文献１】ｈｔｔｐ：／／ｔａｎｉｙａｍａｓｈｏｊｉ．ｃｏ．ｊｐ／ｔｓｕｒｉｍｕｓｈａ／２４２（２０２０年１月２４日検索）
【考案の概要】
【考案が解決しようとする課題】
【０００４】  釣り用具のシモリ玉は、水中での抵抗が小さく、魚にかじられても欠損しない物が良いが、シモリ玉の大きさを４ｍｍより小さくした場合は、樹脂製であるために魚にかじられ欠損することがある。
さらに、釣り針の釣り糸からの脱落防止に使用する場合は、頻繁に魚にかじられるので欠損しやすく、魚の引きに耐えられる強度も無い。
また、強度が高い釣り用具の金属製リングはあるが、内径１．５ｍｍ以下のものが無く、釣り針の脱落防止のために、釣り糸を挿通して使用出来るものは存在しない。
非特許文献１のシモリ玉は小さく、水中での抵抗は小さいが樹脂製の為魚にかじられた場合に欠損することがある。
本考案は、シモリ玉が魚にかじられ欠損しやすい問題と、シモリ玉を釣り針の脱落防止に使用する場合はシモリ玉の強度が足りない問題を解決するものである。
【課題を解決するための手段】
【０００５】  本考案は、釣り糸が挿通されるリングであって、前記リングは、外径が４ｍｍ以下であり、内径は１．５ｍｍ以下、且つ金属製であることを特徴とする釣り用具である。
【考案の効果】
【０００６】  本考案は、釣り糸が挿通されるリングであって、前記リングは、外径が４ｍｍ以下であり、内径は１．５ｍｍ以下、且つ金属製であるので水中での抵抗が小さく、魚にかじられても欠損しない。
さらに、釣り針の脱落防止に使用する場合は、魚の引きに耐えることができる。
【図面の簡単な説明】
【０００７】
【図１】  ａ）第一の実施例の正面図  ｂ）第一の実施例の側面図
【図２】  ａ）シモリ玉の正面図  ｂ）シモリ玉の側面図
【図３】  第一の実施例を適用した釣り仕掛け１０４
【図４】  第一の実施例を適用した釣り仕掛け１０５
【考案を実施するための形態】
【０００８】  下記の実施例をもって、考案を実施するための形態の説明も兼ねる。
ここで述べる釣り糸は、道糸やハリスであり、用途別に使い分けられている。
（釣り仕掛け１０４には道糸、釣り仕掛け１０５にはハリス）
【実施例】
【０００９】  図１ａ）及び図１ｂ）の第一の実施例である釣り用具１０１は、リング状であり、リング１の外径は４ｍｍ以下で、内径は１．５ｍｍ以下である。材質は金属であり、釣り糸が挿通され、固定されない状態で釣りの仕掛けに装着される。リングは魚にかじられても欠損しないのでリング厚さは薄くて構わない。リングは線材で作るのが適しているが、平材でリングを作る場合は、平ワッシャーに似た形状となるが、得られる効果は変わらない。また、図４で述べるストッパー１３は直径が０．５ｍｍ程度のハリスを結束した結び目とすることが想定されるので、リング１の内径は、１．５ｍｍ以下にしなければ釣り針の脱落は防止できない。【００１０】  図２ａ）及び図２ｂ）は、従来のシモリ玉である。一般的にシモリ玉６の材質は樹脂であり、直径は３ｍｍ〜８ｍｍ程度の球状のものが多く、釣り糸の挿通孔７を有している。小さいシモリ玉は、強度が不足し、魚にかじられ欠損することがある。
釣り針の脱落防止に使用する場合では、魚の引きには耐えられない。【００１１】  図３は、第一の実施例である釣り用具１０１を釣り仕掛け１０４に装着したものである。
釣り仕掛け１０４は、道糸１０が挿通された中通し浮き１４及びリング１を有し、道糸１０の一端側１１にストッパー１３が付され、リング１は道糸１０上の中通し浮き１４とストッパー１３との間に位置する。よってリング１はストッパー１３より道糸の一端側１１に移動できず、さらには中通し浮き１４はリング１を越えて道糸の一端側１１に移動出来ない。すなわち、中通し浮き１４は一端側１１への移動をストッパー１３の位置で止められる構成となっている。
道糸の他端１２側はサルカン１６に接続されており、中通し浮き１４はサルカン１６に移動を止められる。この時、各々の径の大きさはリング１の内径＜ストッパー１３の直径＜中通し浮きの挿通孔の径＜リング１の外径となっている。
（このストッパー１３は紐などで形成されることが多い）【００１２】  図４は、第一の実施例である釣り用具１０１を釣り仕掛け１０５に適用したものである。ハリス１７が挿通されたハリス挿通孔２１を有する釣り針２０及びリング１があり、ハリス１７の一端２２側にストッパー１３が付され、リング１はハリス１７上の釣り針２０とストッパー１３との間に位置する。よってリング１はストッパー１３よりハリス１７の一端２２側に移動できず、更には釣り針２０がリング１を越えてハリス１７の一端２２側に移動できない。すなわち釣り針２０はハリス１７の一端２２から脱落しない構成になる。ハリス１７の他端２３はサルカン１６などの係止具に接続されている。
このリング１は、特に魚にかじられやすい場所に位置するため金属が適している。さらには魚の引きが直接リング１に掛かるため、強度が高い金属が良い。この時、各々の径の大きさはリング１の内径＜ストッパー１３の直径＜釣り針の挿通孔の径＜リング１の外径となっている。
（このストッパー１３はハリスを結束した結び目が想定される）
【符号の説明】
【００１３】    １  リング
２  リングの孔
６  シモリ玉
７  シモリ玉の挿通孔
１０  釣り糸
１１  釣り糸の一端側
１２  釣り糸の他端
１３  ストッパー
１４  中通し浮き
１５  中通し浮きの挿通孔
１６  サルカン
１７  ハリス
２０  ハリス挿通孔を有する釣り針
２１  ハリス挿通孔
２２  ハリスの一端
２３  ハリスの他端
１０１  第一の実施例
１０４  釣り仕掛け
１０５  釣り仕掛け
【図１】
0003226060.tif 000003
【図２】
0003226060.tif 000004
【図３】
0003226060.tif 000005
【図４】
0003226060.tif 000006